(57)【要約】【課題】スクリーンのデザイの制限を少なくできる二重スクリーン装置。【解決手段】蓄勢力で巻き取る二組の巻取軸２，３を有する巻取装置４と、各組みの巻取軸２，３に巻き取らせた状態から蓄勢力に抗して引き出すことができる二枚のスクリーン５，６と、引き出された二枚のスクリーンの引出し方向Ｆに沿った対面位置を調節する対面位置調節装置７とを備え、二枚のスクリーン５，６の各々は、スクリーン基材に分散して複数の穴１７が開設され、対面位置調節装置７は、一方のスクリーンから他方のスクリーンを正視した際の二枚のスクリーン５，６の穴１７，１７どうしの重なり状態又は重ならない状態を維持するようにしたこと。【選択図】図１
2007177416.tif 000002
【特許請求の範囲】
【請求項１】
蓄勢力で巻き取る二組の巻取軸を有する巻取装置と、各組みの巻取軸に巻き取らせた状態から蓄勢力に抗して引き出すことができる二枚のスクリーンと、引き出された二枚のスクリーンの引出し方向に沿った対面位置を調節する対面位置調節装置とを備えた二重スクリーン装置において、二枚のスクリーンの各々は、スクリーン基材に分散して複数の穴が開設され、対面位置調節装置は、二枚のスクリーンの一方から他方を正視した際の二枚のスクリーンの穴どうしの重なり状態又は重ならない状態を維持するようにしたことを特徴とする二重スクリーン装置。
【請求項２】
前記二枚のスクリーンは引き出し側が連結され、前記対面位置調節装置は、二枚のスクリーンの連結箇所の近辺が滑らないように巻き掛けられた張架ロールと、前記巻取装置から引出し方向へ離れた停止位置で張架ロールを回転調節可能に支持する支持具とを備えて、支持具で停止中の張架ロールを回転させることで、一方のスクリーンを引き出すと共に他方のスクリーンを巻き取らせるようにした請求項１記載の二重スクリーン装置。
【請求項３】
前記支持具は、前記巻取装置の両側の各々から引出し方向に沿って延設され、前記張架ロールの両側を係脱可能に係止する係止部を引出し方向に沿って適宜間隔毎に設けた請求項２記載の二重スクリーン装置。
【発明の詳細な説明】
【技術分野】
【０００１】
本発明は、二枚のスクリーンに開設してある穴どうしの重なり状態を調節できる二重スクリーン装置に関するものである。
【背景技術】
【０００２】
従来の二重スクリーン装置は、回転駆動可能なロールと、ロールに上端をロール周方向に離間させて止着した前後二枚のスクリーンと、スクリーンの下端同士を連結するボトムレールとを備え、各スクリーンの物性が前記ロール上における前後スクリーン上端間の距離に等しいか又はそれよりも短い周期で上下方向に交互に変化するようにしたものである。各スクリーンは、緯糸密度を周期的に粗密にして透視性ないし通風性を上下方向に交互に変化させた織物が用いられる。（特許文献１）。
【特許文献１】特開平８−３５３８１号公報
【０００３】
前記二重スクリーン装置は、ロールを部分的に回転させて前後二枚のスクリーンを物性の交互変化ピッチだけ上下にずらせることで、前後二枚のスクリーンの透視性ないし通風性を有する物性領域が重なって透視性ないし通風性となる状態と、重ならない非透視性ないし非通風性となる状態とを選択できるようにしてある。
【０００４】
しかし、前記二重スクリーン装置は、各スクリーンとして緯糸密度を周期的に粗密にして透視性ないし通風性を上下方向に交互に変化させた織物を用いるため、スクリーンのデザイに制限がある。また、前記二重スクリーン装置は、前後二枚のスクリーンを上下にずらせるのに、前後二枚のスクリーンの上端を止着したロールを回転させる必要があるため、操作性が悪い。
【発明の開示】
【発明が解決しようとする課題】
【０００５】
本発明は、上記問題を解決するために、スクリーンのデザイの制限を少なくでき、また、二枚のスクリーンをずらせるための操作が楽にできる二重スクリーン装置を提供することを目的とする。
【課題を解決するための手段】
【０００６】
スクリーンのデザイの制限を少なくするために請求項１記載の本発明が採用した手段は、蓄勢力で巻き取る二組の巻取軸を有する巻取装置と、各組みの巻取軸に巻き取らせた状態から蓄勢力に抗して引き出すことができる二枚のスクリーンと、引き出された二枚のスクリーンの引出し方向に沿った対面位置を調節する対面位置調節装置とを備えた二重スクリーン装置において、二枚のスクリーンの各々は、スクリーン基材に分散して複数の穴が開設され、対面位置調節装置は、二枚のスクリーンの一方から他方を正視した際の二枚のスクリーンの穴どうしの重なり状態又は重ならない状態を維持するようにしたことを特徴とする二重スクリーン装置である。
本発明にあっては、二枚のスクリーンの各々がスクリーン基材に複数の穴を分散して開設したものであるため、織物は勿論のこと織物以外のスクリーン基材を用いることが可能になると共に、スクリーン基材に開設する穴の大きさ、穴の形状及び穴の分散状態を適宜選択できる。
【０００７】
二枚のスクリーンをずらせるための操作が楽にできるようにするために請求項２記載の本発明が採用した手段は、前記二枚のスクリーンは引き出し側が連結され、前記対面位置調節装置は、二枚のスクリーンの連結箇所の近辺が滑らないように巻き掛けられた張架ロールと、前記巻取装置から引出し方向へ離れた停止位置で張架ロールを回転調節可能に支持する支持具とを備えて、支持具で停止中の張架ロールを回転させることで、一方のスクリーンを引き出すと共に他方のスクリーンを巻き取らせるようにした請求項１記載の二重スクリーン装置である。
本発明にあっては、支持具で停止中の張架ロールを回転させて二枚のスクリーンを同時に移動させることで、一方のスクリーンを巻取装置から引き出すと共に他方のスクリーンを巻取装置へ巻き取らせて二枚のスクリーンをずらせることができる。そして、張架ロールの回転角度を選択することで、二枚のスクリーンをずらせる寸法を微調節することが可能となる。
【０００８】
二枚のスクリーンの引き出し量を調節できるようにするため請求項３記載の本発明が採用した手段は、前記支持具は、前記巻取装置の両側の各々から引出し方向に沿って延設され、前記張架ロールの両側を係脱可能に係止する係止部を引出し方向に沿って適宜間隔毎に設けた請求項２記載の二重スクリーン装置である。
本発明にあっては、張架ロールの両側を係止する係止部を適宜選択することで、巻取装置から引き出した二枚のスクリーンの引き出し量を調節することできる。
【発明の効果】
【０００９】
請求項１記載の本発明に係る二重スクリーン装置は、織物は勿論のこと織物以外のスクリーン基材を用いることが可能になると共に、スクリーン基材に開設する穴の大きさ、穴の形状及び穴を分散状態を適宜選択できるため、スクリーンのデザイの制限を従来に比べて飛躍的に少なくできる。
【００１０】
請求項２記載の本発明に係る二重スクリーン装置は、巻取装置から離れて支持されている張架ロールを回転させて二枚のスクリーンを引出し方向に沿ってずらせることができるため、二枚のスクリーンをずらせるための操作が楽にできると共に、二枚のスクリーンをずらせる寸法を微調節することが可能となる。
【００１１】
請求項３記載の本発明に係る二重スクリーン装置は、巻取装置からの離れ度合いが異なる係止部に張架ロールの両側を係止することで、二枚のスクリーンの引き出し量を調節することができる。
【発明を実施するための最良の形態】
【００１２】
本発明に係る二重スクリーン装置（以下、「本発明スクリーン装置」と言う。）を図面に示す実施形態に基づいて説明する。
【００１３】
（第１の実施の形態）
図１及び図２は本発明スクリーン装置の第１の実施の形態を示すものであり、図１（Ａ）は左側面図、同図（Ｂ）は前側のスクリーン５の一部を切り欠いた正面図である。図２は前後両側のスクリーン５，６の穴の重なり状態の態様を示す正面図であって、同図（Ａ）は穴の一部どうしが重なった状態、同図（Ｂ）は穴どうしが完全に重なった状態である。
【００１４】
本発明スクリーン装置１は、図１に示す如く、蓄勢力で巻き取る二組の巻取軸２，３を有する巻取装置４と、各組みの巻取軸２，３に巻き取らせた状態から蓄勢力に抗して引き出すことができる二枚のスクリーン５，６と、引き出された二枚のスクリーン５，６を引出し方向（矢符Ｆ方向）に沿ってずらせて対面位置を調節する対面位置調節装置７とを備えている。巻取装置４は、筒状のケーシング８，９どうしを連結部１０で連結すると共に、各ケーシング８（９）の内部に、巻取軸２（３）及び巻取軸２（３）の巻取のための蓄勢力を蓄えるバネ等からなる蓄勢具（図示略）が内蔵されている。
【００１５】
前記二枚のスクリーン５，６は、引き出し側の先端（本例では下端）が縫合又は接着等で連結１１され、後述する対面位置調節装置７を設けることができるようになっている。二枚のスクリーン５，６の各々は、幅Ｗ（例えば、９０ｃｍ）で、最大引出し寸法Ｈ（例えば、２００ｃｍ）を確保できるように形成してある。なお、二枚のスクリーン５，６は、一枚のスクリーン基材の中央を反転させ、連続した状態で形成することも可能である。スクリーン基材は、目付が５０〜５００ｇ／ｍ2 程度の織物若しくは不織布、織物若しくは不織布と合成樹脂フィルムとを貼り合わせた目付が５０〜５００ｇ／ｍ2 程度のラミネート物、肉厚みが０．１〜１．０ｍｍ程度の透明、半透明若しくは着色した合成樹脂シート等が選択される。スクリーン基材は、意匠柄が染色又は印刷されたもの又は無地のものが選択される。二枚のスクリーン５，６の各々は、スクリーン基材に分散して複数の穴１７が開設されている。各穴１７は、丸穴、楕円、多角形穴又は星型等のデザイ穴等であって、直径が例えば５０〜２００ｍｍの領域内に納まる大きさのものが選択される。穴１７の開口率は、スクリーン基材の単位面積当たりに開設した複数個の穴１７の開口面積の総和が、当該単位面積の１０〜５０％（好ましくは、１５〜３０％）の範囲で選択することで、二枚のスクリーン５，６を通過する空気の通風性を調整することができる。なお、スクリーン基材が織物の場合には、穴１７の開口周縁のほつれを防止する樹脂を含浸させたものを選択するとよい。また、スクリーン基材が熱溶融繊維からなる織物の場合には、穴輪郭形状の加熱した刃で穴１７を開け、溶融した繊維どうしを融着させ、穴１７の開口周縁のほつれを防止するとよい。
【００１６】
前記対面位置調節装置７は、巻取装置４から引き出した二枚のスクリーン５，６の一方から他方を正視したときに、二枚のスクリーン５，６の前後の穴１７，１７どうしの重なり状態（図２参照）又は重ならない状態（図１（Ｂ）参照）を維持するするものであり、調節後の各スクリーン５，６の引き出し寸法を維持するようしてある。本例の対面位置調節装置７は、二枚のスクリーン５，６の連結箇所の近辺である反転箇所が滑らないように巻き掛けられた張架ロール１２と、巻取装置４から引出し方向（本例では下方向）へ離れた停止位置で張架ロール１２を回転調節可能に支持する支持具１３とを備えて、支持具１３で停止中の張架ロール１２を手動操作で正回転又は逆回転させたときに、張架ロール１２の外周面が回転で周方向へ移動した寸法だけ二枚のスクリーン５，６の一方を巻取軸２（又は３）から引き出すと共に他方を巻取軸３（又は２）に巻き取らせるようにしてある。この引き出し及び巻き取りは、二枚のスクリーン５，６を最大限引出したとき（図中に二点鎖線で示す状態のとき）にも確保するようにしてある。張架ロール１２は、二枚のスクリーン５，６の反転箇所との間で滑りが生じないように、スクリーンと接する外周面を凹凸形状にしたり、外周面を滑止めライニング層で形成する等してある。張架ロール１２は、両軸１２ａ，１２ａの各々の外端にハンドル１８を取着し、ハンドル１８を操作して正逆回転させるようにしてある。
【００１７】
前記支持具１３は、巻取装置４の両側の各々から引出し方向（矢符Ｆ方向）に沿って延設した帯板等からなる支持板１４，１４に、張架ロール１２の両軸１２ａ，１２ａを係脱可能に係止する係止部１５を引出し方向に沿って適宜間隔（例えば、２０ｃｍ）毎に設け、係止する係止部１５を選択することで二枚のスクリーン５，６の引き出し量を調節できるようにしてある。なお、係止部１５は、張架ロール１２の筒部１２ｂの両側を支持できる形状とし、張架ロール１２の両軸１２ａ，１２ａを省略できるようにすることもある。      
【００１８】
前記巻取装置４は、二組の巻取軸２，３の巻き取る蓄勢力を同一にして二枚のスクリーン５，６を同一張力で引っ張って、前記張架ロール１２を回転操作しない限り二枚のスクリーン５，６の一方を巻き取る巻取軸が他方を巻き取ることがないようにバランスさせてある。また、巻取装置４は、二組の巻取軸２，３の巻き取る蓄勢力が前記張架ロール１２及び二枚のスクリーン５，６の自重より大きくなっており、支持具１３の係止部１５で張架ロール１２を支持しないとき、張架ロール１２を持ち上げつつ二枚のスクリーン５，６を巻き取るようにしてある。前記巻取装置４は、巻取軸２を内蔵するケーシング８のスクリーン出入口と巻取軸３を内蔵するケーシング９のスクリーン出入口との前後間隔を張架ロール１２の直径と同一とし、前後二枚のスクリーン５，６を一定間隔で離すようにしてある。
【００１９】
本発明スクリーン装置１は、窓枠の屋内又は屋外の上枠材等に巻取装置４を固定し、巻取装置４から二枚のスクリーン５，６を引き出すように張架ロール１２を引出し方向へ移動させて、支持具１３の選択した両側の係止部１５，１５に張架ロール１２の両軸１２ａ，１２ａを係止させた状態で配置される。本発明スクリーン装置１は、支持具１３に支持されている張架ロール１２を手動操作（ハンドル１８を操作）して回転させることで、二枚のスクリーン５，６を引出し方向に沿って移動させ、二枚のスクリーン５，６の一方から他方を正視した際の二枚のスクリーン５，６の前後の穴１７，１７どうしの重なる割合を調節して、二枚のスクリーン５，６の一方から他方へ複数の穴１７を介して通過する空気量や光量を最適な状態にでき、その調節した状態を維持させることができる。このとき、使用者は、張架ロール１２の回転角度を適宜選択することで、二枚のスクリーン５，６をずらせる寸法を微調節して、図１（Ａ）及び図２に示すように、穴１７，１７どうしの重なる割合を無段階で微調節することができる。
【００２０】
本発明スクリーン装置１は、織物は勿論のこと織物以外のスクリーン基材を用いることが可能になると共に、スクリーン基材に開設する穴１７の大きさ、穴の形状及び穴を分散状態を適宜選択できるため、スクリーンのデザイの制限を従来に比べて飛躍的に少なくしてデザイの自由度を大きくできる。
【００２１】
本発明スクリーン装置１は、二枚のスクリーン５，６を垂直方向へ垂れ下げるようにする配置以外に、テラス等の上方に二枚のスクリーン５，６を下り傾斜させた状態で垂れ下げて配置することも可能である。
【００２２】
（第２の実施の形態）
図３本発明スクリーン装置の第２の実施の形態を示すものであり、同図（Ａ）は左側面図、同図（Ｂ）は前側のスクリーン５の一部を切り欠いた正面図である。
【００２３】
本例の本発明スクリーン装置２１が前記第１の実施の形態の本発明スクリーン装置１と大きく相違する点は、巻取装置４の二組の巻取軸２，３を上下に配置して巻取装置４の前後厚み寸法を短くすると共に、張架ロール１２を支持する位置を無段階で調節できるようにしたことである。本例の本発明スクリーン装置２１の相違点以外の構成は、前記第１の実施の形態の本発明スクリーン装置１（図１参照）と実質的に同一であり、同一部材等については図中に同一の符号を付して示している。
【００２４】
前記支持具２３は、巻取装置４の両側の各々から引出し方向に沿って延設した支持板２４，２４に、張架ロール１２の両軸１２ａ，１２ａが挿通する長孔２５，２５を開設し、支持板２４，２４に張架ロール１２のロール軸１２ａの両端側を固定する固定具２６，２６を備え、張架ロール１２の固定位置を引出し方向（矢符Ｆ方向）に沿って無段階で調整できるようにしてある。固定具２６は、ロール軸１２ａに鍔部と雌ねじ部とを設け、雌ねじ部に螺着したボルトと鍔とで長孔２５の開口周縁を挟持して固定するもの等の構造が選択される。張架ロール１２は、筒状の胴部１２ｂに対してロール軸１２ａを回転自在に内嵌させ、胴部１２ｂの両端側を手動操作して回転させできるようにしてある。
【００２５】
（第３の実施の形態）
図４本発明スクリーン装置の第３の実施の形態を示すものであり、同図（Ａ）は左側面図、同図（Ｂ）は前側のスクリーン５の一部を切り欠いた正面図である。
【００２６】
本例の本発明スクリーン装置３１が前記第１の実施の形態の本発明スクリーン装置１と大きく相違する点は、巻取装置４の二組の巻取軸２，３を上下に配置して前後厚み寸法をを短くすると共に、支持具３３を巻取装置４から延設させることなく形成したことである。本例の本発明スクリーン装置３１の相違点以外の構成は、前記第１の実施の形態の本発明スクリーン装置１（図１参照）と実質的に同一であり、同一部材等については図中に同一の符号を付して示している。
【００２７】
前記支持具３３は、重り又は窓枠の下枠材なる支持部３４に取着した係止リング等からなる一方の係止具３５，３５と、張架ロール１２のロール軸１２ａの両側から延設した鉤状の係止フック等からなる他方の係止具３６，３６との組合せからなる。張架ロール１２は、筒状の胴部１２ｂに対してロール軸１２ａを回転自在に内嵌させ、胴部１２ｂの両端側を手動操作して回転させできるようにしてある。なお、他方の係止具３６，３６は、その長さ寸法を調節できるようにして、張架ロール１２を支持する位置を調節できるようにすることも可能である。
【図面の簡単な説明】
【００２８】
【図１】本発明スクリーン装置の第１の実施の形態を示すものであり、同図（Ａ）は左側面図、同図（Ｂ）は前側のスクリーンの一部を切り欠いた正面図である。
【図２】第１の実施の形態における前後両側のスクリーンの穴の重なり状態の態様を示す正面図であって、同図（Ａ）は穴の一部どうしが重なった状態、同図（Ｂ）は穴どうしが完全に重なった状態である。
【図３】本発明スクリーン装置の第２の実施の形態を示すものであり、同図（Ａ）は左側面図、同図（Ｂ）は前側のスクリーンの一部を切り欠いた正面図である。
【図４】本発明スクリーン装置の第３の実施の形態を示すものであり、同図（Ａ）は左側面図、同図（Ｂ）は前側のスクリーンの一部を切り欠いた正面図である。
【符号の説明】
【００２９】
２，３…巻取軸、５，６…スクリーン、７…対面位置調節装置、１７…穴
【図１】
2007177416.tif 000003
【図２】
2007177416.tif 000004
【図３】
2007177416.tif 000005
【図４】
2007177416.tif 000006